(57)【要約】【課題】人手を介さずに表示内容の変更が可能な表示情報管理システム、非接触識別タグ、情報管理装置、非接触識別タグ制御プログラム及び情報管理装置制御プログラムを提供する。【解決手段】情報管理装置２を、情報送信部２ａと、情報受信部２ｂと、時間情報管理部２ｃと、情報設定部２ｄと、を含んだ構成とし、非接触識別タグ３を、受信部３ａと、送信部３ｂと、電源生成部３ｃと、制御部３ｄと、記憶部３ｅと、情報表示処理部３ｆと、電気泳動式表示装置３ｇと、時間情報測定部３ｈと、を含んだ構成とし、情報管理装置２は、電気泳動式表示装置３ｇに所定の情報を表示させ、更に、その情報の時間情報の管理を行い、且つ、この管理内容に基づき前記表示内容を適切なものに変更させるようにした。【選択図】      図１
2004272356.tif 000002
【特許請求の範囲】
【請求項１】
所定物に取付可能な非接触識別タグと、当該非接触識別タグに前記所定物に関する所定情報を書き込む情報書込手段と、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備え、
前記非接触識別タグは、情報表示部と、前記書き込まれた情報に基づく画像を前記情報表示部に表示する情報表示手段と、前記電磁波供給手段により供給された電磁波から電源用電力を生成する電源生成手段と、を備えることを特徴とする表示情報管理システム。
【請求項２】
情報管理装置と、所定物に取付可能な非接触識別タグと、を備え、
前記情報管理装置は、前記非接触識別タグに前記所定物に関する所定情報を書き込む情報書込手段と、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備え、
前記非接触識別タグは、情報表示部と、前記書き込まれた情報に基づく画像を前記情報表示部に表示する情報表示手段と、前記電磁波供給手段から供給された電磁波から電源用電力を生成する電源生成手段と、を備えることを特徴とする表示情報管理システム。
【請求項３】
情報管理装置と、所定物に取付可能な非接触識別タグと、当該非接触識別タグに前記所定物に関する所定情報を書き込む情報書込手段と、を備え、
前記情報管理装置は、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備え、
前記非接触識別タグは、情報表示部と、前記書き込まれた情報に基づく画像を前記情報表示部に表示する情報表示手段と、前記電磁波供給手段から供給された電磁波から電源用電力を生成する電源生成手段と、を備えることを特徴とする表示情報管理システム。
【請求項４】
前記情報書込手段は、前記所定情報の書き込み時に、その時の時刻情報を書き込むようになっており、
前記時間情報管理手段は、前記非接触識別タグに前記所定情報が書き込まれてからの経過時間を管理することを特徴とする請求項１乃至請求項３のいずれか１項に記載の表示情報管理システム。
【請求項５】
前記変更情報書込手段は、前記情報の書き込み時に、その時の時刻情報を書き込むようになっており、
前記時間情報管理手段は、前記書き込まれた時刻情報に基づき前記時間情報の管理を行うことを特徴とする請求項１乃至請求項４のいずれか１項に記載の表示情報管理システム。
【請求項６】
前記非接触識別タグは、当該非接触識別タグに書き込まれた前記所定情報に係る時間情報を測定する時間情報測定手段を備え、
前記時間情報管理手段は、前記時間情報測定手段によって測定された前記時間情報を管理することを特徴とする請求項１乃至請求項５のいずれか１項に記載の表示情報管理システム。
【請求項７】
請求項１乃至請求項３のいずれか１項に記載の表示情報管理システムにおける前記非接触識別タグであって、
情報表示部と、前記所定情報に基づく画像を前記情報表示部に表示する情報表示手段と、前記非接触識別タグに書き込まれた前記所定情報に係る時間情報を測定する時間情報測定手段と、前記電波供給手段から受信した電磁波から電源用電力を生成する電源生成手段と、を備えることを特徴とする非接触識別タグ。
【請求項８】
請求項２記載の表示情報管理システムにおける前記情報管理装置であって、
前記非接触識別タグに前記所定物に関する所定情報を書き込む情報書込手段と、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備えることを特徴とする情報管理装置。
【請求項９】
請求項３記載の情報管理システムにおける前記情報管理装置であって、
前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備えることを特徴とする情報管理装置。
【請求項１０】
前記情報書込手段は、前記所定情報の書き込み時に、その時の時刻情報を書き込むようになっており、
前記時間情報管理手段は、前記非接触識別タグに前記所定情報が書き込まれてからの経過時間を管理することを特徴とする請求項８又は請求項９記載の情報管理装置。
【請求項１１】
前記変更情報書込手段は、前記情報の書き込み時に、その時の時刻情報を書き込むようになっており、
前記時間情報管理手段は、前記書き込まれた時刻情報に基づき前記時間情報の管理を行うことを特徴とする請求項８乃至請求項１０のいずれか１項に記載の情報管理装置。
【請求項１２】
請求項１記載の表示情報管理システムを管理するためのプログラムであって、
前記非接触識別タグに前記所定物に関する所定情報を書き込む情報書込ステップと、前記非接触識別タグに書き込まれた前記所定情報の時間情報を管理する時間情報管理ステップと、当該時間情報管理ステップの管理内容に基づき前記非接触識別タグの表示内容を変更するための情報を当該非接触識別タグに書込む変更情報書込ステップと、を備えることを特徴とする表示情報管理プログラム。
【請求項１３】
請求項７記載の非接触識別タグを制御するためのプログラムであって、
前記所定情報に基づく画像を前記情報表示部に表示する情報表示ステップと、前記非接触識別タグに書き込まれた前記所定情報に係る時間情報を測定する時間情報測定ステップと、を備えることを特徴とする非接触識別タグ制御プログラム。
【請求項１４】
請求項８記載の情報管理装置を制御するためのプログラムであって、
前記非接触識別タグに前記所定物に関する所定情報を書き込む情報書込ステップと、前記非接触識別タグに書き込まれた前記所定情報の時間情報を管理する時間情報管理ステップと、当該時間情報管理ステップにおける管理内容に基づき前記非接触識別タグの表示内容を変更するための情報を当該非接触識別タグに書込む変更情報書込ステップと、を備えることを特徴とする情報管理装置制御プログラム。
【請求項１５】
請求項９記載の情報管理装置を制御するためのプログラムであって、
前記非接触識別タグに書き込まれた前記所定情報の時間情報を管理する時間情報管理ステップと、当該時間情報管理ステップにおける管理内容に基づき前記非接触識別タグの表示内容を変更するための情報を当該非接触識別タグに書込む変更情報書込ステップと、を備えることを特徴とする情報管理装置制御プログラム。
【発明の詳細な説明】
【０００１】
【発明の属する技術分野】
本発明は、表示装置を備える非接触識別タグに係り、特に、非接触識別タグの所定表示情報の時間情報を管理するのに好適な表示情報管理システムに関する。
【０００２】
【従来の技術】
従来、書換え可能な表示領域を備える表示装置の表示データの時間管理を行い、その管理内容に基づき表示装置の情報を書換えその表示情報を柔軟に変更可能なシステムがある（特許文献１参照）。
【０００３】
【特許文献１】
特開２００２−２０３２１３号公報
【０００４】
【発明が解決しようとする課題】
しかしながら、上記従来のシステムでは、情報書換装置を使って電圧を印加することにより表示装置の表示を変更している。また、表示装置との通信方法は、表示装置に書き込まれた識別コードを光学的に読み取ることで表示された情報を得ており、更に、表示装置に情報を書き込む際には識別コードを書き換えている。
【０００５】
従って、表示装置の表示内容を変更する為には１つ１つ人が情報書換装置を使って書き換えを行わなくてはならず、書き換えるべき対象を探す手間も必要になる。更に、人的ミスで情報の書き換え忘れが起こる可能性もある。
そこで、本発明は、このような従来の技術の有する未解決の課題に着目してなされたものであって、人手を介さずに表示内容の変更が可能な表示情報管理システム、非接触識別タグ、情報管理装置、非接触識別タグ制御プログラム及び情報管理装置制御プログラムを提供することを目的としている。
【０００６】
【課題を解決するための手段】
上記目的を達成するために、本発明に係る表示情報管理システムは、所定物に取付可能な非接触識別タグと、当該非接触識別タグに前記所定物に関する所定情報を書き込む情報書込手段と、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備え、
前記非接触識別タグは、情報表示部と、前記書き込まれた情報に基づく画像を前記情報表示部に表示する情報表示手段と、前記電磁波供給手段により供給された電磁波から電源用電力を生成する電源生成手段と、を備えることを特徴としている。
【０００７】
このような構成であれば、第１の発明は、情報書込手段によって、非接触識別タグに所定物に係る所定情報を書き込むことが可能であり、時間情報管理手段によって、非接触識別タグに書き込まれた前記所定情報の時間情報を管理することが可能であり、変更情報書込手段によって、時間情報管理手段の管理内容に基づき前記非接触識別タグの表示内容を変更するための情報を当該非接触識別タグに書込むことが可能であり、電磁波供給手段によって、非接触識別タグに電力用電磁波を供給することが可能であり、前記非接触識別タグは、情報表示手段によって、所定情報に基づく画像を前記情報表示部に表示することが可能であり、電源生成手段によって、電磁波供給手段により供給された電磁波から電源用電力を生成することが可能である。
【０００８】
従って、非接触識別タグに書き込まれた所定情報の時間情報に基づき、例えば、ある時刻になったら情報の内容を書き換える等が可能となるので、例えば、販売する商品に非接触識別タグを付与し、商品の時間経過等の時間に関する情報を表示部に表示することで、商品管理等に利用できる。更に、非接触識別タグを利用したことにより情報の書き込みは全て非接触で行われるので、表示内容の変更を人手によらず自動で行うことができ、人的要因による書換えミス等を抑えることが可能となる。
【０００９】
ここで、非接触識別タグとは、ＲＦＩＤ（Ｒａｄｉｏ  Ｆｒｅｑｕｅｎｃｙ  ＩＤｅｎｔｉｆｉｃａｔｉｏｎ）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【００１０】
また、非接触識別タグは、データ読取専用、あるいは、データの読み書きが自由に行える記憶領域を備えており、更に、アンテナ側からの非接触電力伝送により電池が無くても動作可能なものがある。
また、ＲＦＩＤシステムとは、媒体に電波・電磁波を用いたＩＤシステムであり、非接触識別タグが、（１）  携帯容易な大きさであること、（２）  情報を電子回路に記憶すること、（３）  非接触通信により交信することの３つの特徴を備えている。
【００１１】
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
また、ＲＦＩＤシステムの代表的な種類としては、主に、交流磁界によるコイルの相互誘導を利用して非接触識別タグとの交信を行なう電磁結合方式、  主に、２５０ｋＨｚ以下、あるいは、１３．５６ＭＨｚ帯の長・中波帯の電磁波を利用して非接触識別タグとの交信を行なう電磁誘導方式、リーダ／ライタ側のアンテナと非接触識別タグ間で、２．４５ＧＨｚ帯のマイクロ波によりデータ交信を行なうマイクロ波方式、光の発生源としてＬＥＤを、受光器としてはフォトトランジスタ等を配置し、光の空間伝送を利用して非接触識別タグとの交信を行なう光方式の４つがある。
【００１２】
また、アクセス方式は、主に、シングルアクセスモード、ＦＩＦＯ（Ｆｉｒｓｔ  Ｉｎ  Ｆｉｒｓｔ  Ｏｕｔ）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１３】
ＦＩＦＯアクセスモードは、アンテナの交信領域内に順番に入ってくる非接触識別タグと順番に交信することができる。交信を終了した非接触識別タグにはアクセス禁止処理を行なうので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１４】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行なうコマンドで実現される。
【００１５】
また、上記表示情報に基づく画像とは、情報に関連する絵や文字であったり、単に表示部を赤一色にする等の情報が書き換えられたことを知らせるための画像などのことである。
また、第２の発明は、情報管理装置と、所定物に取付可能な非接触識別タグと、を備え、
前記情報管理装置は、前記非接触識別タグに前記所定物に関する所定情報を書き込む情報書込手段と、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備え、
前記非接触識別タグは、情報表示部と、前記書き込まれた情報に基づく画像を前記情報表示部に表示する情報表示手段と、前記電磁波供給手段から供給された電磁波から電源用電力を生成する電源生成手段と、を備えることを特徴としている。
【００１６】
このような構成であれば、情報管理装置は、情報書込手段によって、非接触識別タグに所定物に関する所定情報を書き込むことが可能であり、時間情報管理手段によって、非接触識別タグに書き込まれた前記所定情報の時間情報を管理することが可能であり、変更情報書込手段によって、時間情報管理手段の管理内容に基づき前記非接触識別タグの表示内容を変更するための情報を当該非接触識別タグに書込むことが可能であり、電磁波供給手段によって、非接触識別タグに電力用電磁波を供給することが可能であり、前記非接触識別タグは、情報表示手段によって、所定情報に基づく画像を前記情報表示部に表示することが可能であり、電源生成手段によって、電磁波供給手段から供給された電磁波から電源用電力を生成することが可能である。
【００１７】
従って、非接触識別タグに書き込まれた所定情報の時間情報に基づき、例えば、ある時刻になったら情報の内容を書き換える等が可能となるので、例えば、販売する商品に非接触識別タグを付与し、商品の時間経過等の時間に関する情報を表示部に表示することで、商品管理等に利用できる。更に、非接触識別タグを利用したことにより情報の書き込みは全て非接触で行われるので、表示内容の変更を人手によらず自動で行うことができ、人的要因による書換えミス等を抑えることが可能となる。
【００１８】
また、第３の発明は、情報管理装置と、所定物に取付可能な非接触識別タグと、当該非接触識別タグに前記所定物に関する所定情報を書き込む情報書込手段と、を備え、
前記情報管理装置は、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備え、
前記非接触識別タグは、情報表示部と、前記書き込まれた情報に基づく画像を前記情報表示部に表示する情報表示手段と、前記電磁波供給手段から供給された電磁波から電源用電力を生成する電源生成手段と、を備えることを特徴としている。
【００１９】
このような構成であれば、情報書込手段によって、非接触識別タグに所定物に関する所定情報を書き込むことが可能であり、情報管理装置は、時間情報管理手段によって、非接触識別タグに書き込まれた前記所定情報の時間情報を管理することが可能であり、変更情報書込手段によって、時間情報管理手段の管理内容に基づき前記非接触識別タグの表示内容を変更するための情報を当該非接触識別タグに書込むことが可能であり、電磁波供給手段によって、非接触識別タグに電力用電磁波を供給することが可能であり、前記非接触識別タグは、情報表示手段によって、所定情報に基づく画像を前記情報表示部に表示することが可能であり、電源生成手段によって、電磁波供給手段から供給された電磁波から電源用電力を生成することが可能である。
【００２０】
従って、非接触識別タグに書き込まれた所定情報の時間情報に基づき、例えば、ある時刻になったら情報の内容を書き換える等が可能となるので、例えば、販売する商品に非接触識別タグを付与し、商品の時間経過等の時間に関する情報を表示部に表示することで、商品管理等に利用できる。更に、非接触識別タグを利用したことにより情報の書き込みは全て非接触で行われるので、表示内容の変更を人手によらず自動で行うことができ、人的要因による書換えミス等を抑えることが可能となる。
【００２１】
また、第４の発明は、第１乃至第３のいずれか１の発明において、前記情報書込手段は、前記所定情報の書き込み時に、その時の時刻情報を書き込むようになっており、
前記時間情報管理手段は、前記非接触識別タグに前記所定情報が書き込まれてからの経過時間を管理することを特徴としている。
【００２２】
つまり、情報書込手段は、前記所定情報の書き込み時に、その時の時刻情報を書き込むことが可能であり、時間情報管理手段は、前記非接触識別タグに所定情報が書き込まれてからの経過時間を管理することが可能である。これにより、例えば、非接触識別タグの貼り付けられた商品の、当該商品が置かれてからの経過時間などを管理することが可能となる。
【００２３】
また、第５の発明は、第１乃至第４のいずれか１の発明において、前記変更情報書込手段は、前記情報の書き込み時に、その時の時刻情報を書き込むようになっており、
前記時間情報管理手段は、前記書き込まれた時刻情報に基づき前記時間情報の管理を行うことを特徴としている。
【００２４】
つまり、時間情報管理手段によって、変更情報書込み手段による情報の書き込み時にも、その時の時刻情報を書き込むことが可能であり、これにより、例えば、表示内容の変更時からの経過時間を管理することが可能となる。
また、第６の発明は、第１乃至第５のいずれか１の発明において、前記非接触識別タグは、当該費接触識別タグに書き込まれた前記所定情報に係る時間情報を測定する時間情報測定手段を備え、
前記時間情報管理手段は、前記時間情報測定手段によって測定された前記時間情報を管理することを特徴としている。
【００２５】
つまり、非接触識別タグが自己に書き込まれた所定情報の時間情報を測定することが可能であり、これにより、時間情報管理手段は、非接触識別タグからこの時間情報を読み出すことで、簡易に時間情報の管理を行うことが可能となる。
また、第７の発明は、第１乃至第３のいずれか１の発明における前記非接触識別タグであって、
情報表示部と、前記所定情報に基づく画像を前記情報表示部に表示する情報表示手段と、前記非接触識別タグに書き込まれた前記所定情報に係る時間情報を測定する時間情報測定手段と、前記電波供給手段から受信した電磁波から電源用電力を生成する電源生成手段と、を備えることを特徴としている。
【００２６】
ここで、本発明は、第１乃至第３のいずれか１の発明における非接触識別タグでありその作用効果は重複するので記載を省略する。
また、第８の発明は、第２の発明における前記情報管理装置であって、
前記非接触識別タグに前記所定物に関する所定情報を書き込む情報書込手段と、前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備えることを特徴としている。
【００２７】
ここで、本発明は、第２の発明における前記情報管理装置でありその作用効果は重複するので記載を省略する。
また、第９の発明は、第３の発明における前記情報管理装置であって、
前記非接触識別タグに書き込まれた前記所定情報の時間情報を管理する時間情報管理手段と、当該時間情報管理手段の管理内容に基づき前記非接触識別タグの表示内容を変更するための情報を当該非接触識別タグに書込む変更情報書込手段と、前記非接触識別タグに電力用電磁波を供給する電磁波供給手段と、を備えることを特徴としている。
【００２８】
ここで、本発明は、第３の発明における前記情報管理装置でありその作用効果は重複するので記載を省略する。
また、第１０の発明は、第８又は第９の発明において、前記情報書込手段は、前記所定情報の書き込み時に、その時の時刻情報を書き込むようになっており、
前記時間情報管理手段は、前記非接触識別タグに前記所定情報が書き込まれてからの経過時間を管理することを特徴としている。
【００２９】
ここで、本発明は、第４の発明における前記情報管理装置でありその作用効果は重複するので記載を省略する。
また、第１１の発明は、第８乃至第１０のいずれか１の発明において、前記変更情報書込手段は、前記情報の書き込み時に、その時の時刻情報を書き込むようになっており、
前記時間情報管理手段は、前記書き込まれた時刻情報に基づき前記時間情報の管理を行うことを特徴としている。
【００３０】
ここで、本発明は、第５の発明における前記情報管理装置でありその作用効果は重複するので記載を省略する。
また、第１２の発明は、第１の発明を管理するためのプログラムであって、
前記非接触識別タグに前記所定物に関する所定情報を書き込む情報書込ステップと、前記非接触識別タグに書き込まれた前記所定情報の時間情報を管理する時間情報管理ステップと、当該時間情報管理ステップの管理内容に基づき前記非接触識別タグの表示内容を変更するための情報を当該非接触識別タグに書込む変更情報書込ステップと、を備えることを特徴としている。
【００３１】
ここで、本発明は、第１の発明を制御するためのプログラムでありその効果は重複するので記載を省略する。
また、第１３の発明は、第７の発明を制御するためのプログラムであって、
前記所定情報に基づく画像を前記情報表示部に表示する情報表示ステップと、前記非接触識別タグに書き込まれた前記所定情報に係る時間情報を測定する時間情報測定ステップと、を備えることを特徴としている。
【００３２】
ここで、本発明は、第７の発明を制御するプログラムでありその効果は重複するので記載を省略する。
また、第１４の発明は、第８の発明を制御するためのプログラムであって、
前記非接触識別タグに前記所定物に関する所定情報を書き込む情報書込ステップと、前記非接触識別タグに書き込まれた前記所定情報の時間情報を管理する時間情報管理ステップと、当該時間情報管理ステップにおける管理内容に基づき前記非接触識別タグの表示内容を変更するための情報を当該非接触識別タグに書込む変更情報書込ステップと、を備えることを特徴としている。
【００３３】
ここで、本発明は、第８の発明を制御するプログラムでありその効果は重複するので記載を省略する。
また、第１５の発明は、第９の発明を制御するためのプログラムであって、
前記非接触識別タグに書き込まれた前記所定情報の時間情報を管理する時間情報管理ステップと、当該時間情報管理ステップにおける管理内容に基づき前記非接触識別タグの表示内容を変更するための情報を当該非接触識別タグに書込む変更情報書込ステップと、を備えることを特徴としている。
【００３４】
ここで、本発明は、第９の発明を制御するプログラムでありその効果は重複するので記載を省略する。
本発明は、更に以下の態様を取り得る。
（１）前記情報表示部は、電気泳動式の表示装置であることを特徴とする第１乃至第６のいずれか１の発明に記載の表示情報管理システム。
【００３５】
（２）前記情報表示部は、電気泳動式の表示装置であることを特徴とする第７の発明に記載の非接触識別タグ。
（３）前記情報書込ステップにおいては、前記所定情報の書き込み時に、その時の時刻情報を書き込むようになっており、
前記時間情報管理ステップにおいては、前記非接触識別タグに前記所定情報が書き込まれてからの経過時間を管理することを特徴とする第１４又は第１５の発明に記載の情報管理装置制御プログラム。
【００３６】
（４）前記変更情報書込ステップにおいては、前記情報の書き込み時に、その時の時刻情報を書き込むようになっており、
前記時間情報管理ステップにおいては、前記書き込まれた時刻情報に基づき前記時間情報の管理を行うことを特徴とする第１４、第１５及び（３）のいずれか１の発明に記載の情報管理装置制御プログラム。
【００３７】
上記（１）の発明は、表示部が電気泳動式であるため、情報の表示を維持するのに必要な電力量を軽減することが可能となる。ここで、電気泳動式の表示装置とは、電気泳動現象を利用した表示装置のことである。また、電気泳動現象とは、液相分散媒中に微粒子を分散させた分散液に電界を印加したときに、分散によって自然に帯電した粒子（電気泳動粒子）がクーロン力により泳動する現象である。この現象を利用した電気泳動式表示装置は、表示画像保持性能（以下、「メモリー性」と称する。）を有し、電界の印加により一度表示された画像を保持することが可能である。
【００３８】
【発明の実施の形態】
以下、本発明の実施の形態を図面に基づいて説明する。図１乃至図１１は、本発明に係る表示情報管理システムを食品の期限管理に適用した場合の実施の形態を示す図である。
まず、本発明に係る表示情報管理システムの概略構成を図１に基づいて説明する。図１は、本発明に係る表示情報管理システムの概略構成を示す図である。
【００３９】
表示情報管理システム１は、情報管理装置２と、それぞれに非接触識別タグ３の取り付けられた食品４と、を含んだ構成となっている。
情報管理装置２は、食品４に取り付けられた非接触識別タグ３に賞味期限等の情報を書き込んだり、非接触識別タグ３に書き込まれた情報の時間経過を管理し、この時間経過の情報に基づき対象の非接触識別タグ３に表示された表示内容を変更させたりする。
【００４０】
非接触識別タグ３は、表示部を備えており、情報管理装置２との間で識別ＩＤ番号を用いた非接触のデータ通信を行い、当該情報管理装置２から取得した情報に基づく画像を表示部に表示する。ここでは、賞味期限までの残り時間と、賞味期限が過ぎたときに表示部に赤色の色画像を表示する。
食品４は、スーパー等で取り扱う食品であり、これら一つ一つに非接触識別タグ３が取り付けられている。
【００４１】
更に、図２に基づき、情報管理装置２の構成を説明する。図２は、情報管理装置２の構成を示すブロック図である。
情報管理装置２は、情報送信部２ａと、情報受信部２ｂと、時間情報管理部２ｃと、情報設定部２ｄと、を含んだ構成となっている。
情報送信部２ａは、時間情報管理部２ｃからの指示に応じて、上記した賞味期限等の食品４に係る情報を非接触識別タグ３に非接触で伝送するものである。ここで、本実施の形態においては、情報送信時の搬送波を非接触識別タグ３への電力供給に利用する。
【００４２】
情報受信部２ｂは、非接触識別タグ３からの情報を非接触で受信するものである。これにより、食品４に関連した情報（賞味期限等）の時間情報を取得することが可能である。
ここで、本実施の形態における情報管理装置２と非接触識別タグ３との間のデータ通信は、主に、２５０ｋＨｚ以下、あるいは、１３．５６ＭＨｚ帯の長・中波帯の電磁波を利用して交信を行なう電磁誘導方式を利用し、且つ、交信領域内にある複数の非接触識別タグのうち、特定の非接触識別タグと交信ができるセレクティブアクセスモードを利用している。
【００４３】
時間情報管理部２ｃは、各食品４に関連した情報の時間情報を管理するためのもので、定期的に非接触識別タグ３から時間情報を取得して、この時間情報に基づき非接触識別タグ３の表示内容の変更処理を行ったりする。
情報設定部２ｄは、非接触識別タグ３に表示させる情報や、表示内容の変更等のスケジューリングを設定するもので、ここで設定されたスケジュールに従って、非接触識別タグ３に初期情報を送信したり、表示された情報の変更等を行う。
【００４４】
更に、図３に基づき、非接触識別タグ３の構成を説明する。図３は、非接触識別タグ３の構成を示すブロック図である。
非接触識別タグ３は、受信部３ａと、送信部３ｂと、電源生成部３ｃと、制御部３ｄと、記憶部３ｅと、情報表示処理部３ｆと、電気泳動式表示装置３ｇと、時間情報測定部３ｈと、を含んだ構成となっている。
【００４５】
受信部３ａは、情報管理装置２から伝送されたデータを電磁誘導方式により非接触で受信するためのものである。
送信部３ｂは、記憶部３ｅに記憶された所定の記憶データを電磁誘導方式によって情報管理装置２に伝送するものである。
電源生成部３ｃは、情報管理装置２からの伝送波を受信してそこから電源を生成し非接触識別タグ３の各部に供給するものである。
【００４６】
制御部３ｄは、非接触識別タグ３と情報管理装置２との間の受信部３ａ及び送信部３ｂを用いた電磁誘導方式によるデータ通信を制御するものである。
記憶部３ｅは、情報管理装置２から伝送された所定のデータや時間情報測定部３ｈによって測定された時間情報等を記憶するためのものである。
情報表示処理部３ｆは、記憶部３ｅによって記憶された情報を、文字や画像等の視認できる情報によって電気泳動式表示装置３ｇに表示するものである。
【００４７】
電気泳動式表示装置３ｇは、上記した電気泳動現象を利用した表示装置である。
更に、図４及び図５に基づき、表示情報管理システム１のより具体的な動作を説明する。図４（ａ）は、情報管理装置２における設定情報の一例を示す図であり、（ｂ）は、表示情報の管理スケジュールの一例を示す図である。また、図５は、非接触識別タグ３における情報表示の一例を示す図である。
【００４８】
ここで、本実施の形態は、本発明に係る表示情報管理システム１を、食品を販売する場所において適用するもので、食品の賞味期限の管理や作成されてからの経過時間等を管理し、この管理内容に基づき当該食品に取り付けられた非接触識別タグの表示情報を適切なものに更新していくことで表示情報の管理を行う。
まず、食品４には、予め非接触識別タグ３を取り付けておく。そして、情報管理装置２の情報設定部２ｄにおいて、販売する食品４の非接触識別タグ３に書込む情報を設定する。ここで、設定する情報としては、図４（ａ）に示すように、食品名、食品の値段、食品の作成日、食品の賞味期限、管理スケジュールの内容などがある。管理スケジュールは、図４（ｂ）に示すように、予め必要な条件を設定しておき、スケジュール番号と対応付けて管理する。これらの設定が終わると、情報送信部２ａを介してそれぞれ対象のＩＤ番号を有した非接触識別タグ３に図４（ａ）に示す該当する設定情報を送信する。
【００４９】
一方、非接触識別タグ３は、情報管理装置２から送信された情報を、制御部３ｄの制御により受信部３ａを介して受信し、記憶部３ｅによって記憶する。更に、前記記憶した情報に基づき情報表示処理部３ｆによって、図５（ａ）に示すように電気泳動式表示装置３ｇに、品名、値段、作成日、賞味期限を示す文字をそれぞれ表示する。なお更に、前記情報の表示が完了すると、制御部３ｄは、時間情報測定部３ｈによって情報が表示されてからの経過時間の測定を開始する。そして、最後に、これら一連の処理が実行された旨を示す応答信号を送信部３ｂを介して情報管理装置２に送信する。ここで、電気泳動式表示装置３ｇの特性から、情報の表示の維持には電力を必要としない。
【００５０】
情報管理装置２は、自己の管理下ある非接触識別タグ３から前記応答信号を受信すると、時間情報管理部２ｃにおいて、図４（ｂ）に示すように、それぞれの食品４に設定された管理スケジュールに従って、時間情報の管理を開始する。この時間情報管理部２ｃにおける時間情報の管理は、まず、応答要求信号を自己の管理下にある全ての非接触識別タグ３に送信することから始まる。なお、本実施の形態において、この応答要求信号は、１時間おきに送信されることとする。
【００５１】
非接触識別タグ３は、この応答要求信号を受信すると、自己のＩＤ番号及び時間情報測定部３ｈによって測定された現在の経過時間を返信する。情報管理装置２は、これらの情報を受信すると、時間情報管理部２ｃにおいて、受信した経過時間と、受信したＩＤ番号に対応する食品４の作成日及び賞味期限と、をそれぞれ比較する。この比較結果と前記受信情報とにより、食品４の作成日からの経過時間及び賞味期限を過ぎたか否かを判定することができる。そして、時間情報管理部２ｃは、この判定の結果と管理スケジュールとに基づき、条件を満たしているときは、その非接触識別タグ３の食品４に関する表示内容を更新するために更新情報を送信する。
【００５２】
ここで、非接触識別タグ３の表示内容の更新処理の流れを、食品４が食品Ａであったときを例として説明する。食品Ａの初期表示情報は、図４（ａ）及び図５（ａ）に示すように、品名「Ａ」、値段「５８０円」、作成日「Ｈ１４／１１／２０／ＡＭ７：００」、賞味期限「Ｈ１４／１１／２１／ＰＭ１２：００」となる。そして、食品Ａに設定された管理スケジュールは、図４（ｂ）に示すように、スケジュール１となる。なお、この食品Ａに対応する非接触識別タグ３は、ＩＤ番号０００１〜２０００の中のいずれかのＩＤ番号を有するものとなる。
【００５３】
従って、時間情報管理部２ｃにおいて、食品Ａに取り付けられた非接触識別タグ３からの応答要求信号に対する応答から、経過時間が初めて３時間を過ぎたと判定されたときは、管理スケジュール１に従い、情報送信部２ａを介して値段を１００円引きするように更新情報を非接触識別タグ３に送信する。ここで、この値引きを行った情報は時間情報管理部２ｃにおいて管理される。
【００５４】
食品Ａに取り付けられた非接触識別タグ３は、更新情報を受信すると、情報表示処理部３ｆにおいて、この情報に基づき、本実施の形態においては、図５（ｂ）に示すように、初期の値段「５８０円」に取り消し二重線を引き、その下に「５８０円」から１００円を引いた「４８０円」が表示されるように、先に表示した表示内容を変更する。
【００５５】
更に時間が経過して、経過時間が６時間を過ぎると、情報管理装置２からの更新情報に基づき、非接触識別タグ３は、前記「４８０円」を「３８０円」に変更する処理を行う。以降は、管理スケジュール１に従い、これ以上時間が経過しても、値引きは行われなくなる。
そして、更に時間が経過し、時間情報管理部２ｃにおいて、応答要求信号に対する非接触識別タグ３からの応答情報から、作成日に経過時間を加算して算出される日時が、賞味期限を超えたと判定されたときには、情報管理装置２は、非接触識別タグ３に賞味期限切れの画像を表示させる命令信号を送信する。
【００５６】
非接触識別タグ３は、この命令信号を受信すると、情報表示処理部３ｆによって、図５（ｃ）に示すように、賞味期限切れの文字と共に、管理者側の注意を促すために所定の色画像（例えば、赤色の背景画像）を電気泳動式表示装置３ｇに表示する。本実施の形態においては、この信号を受信することで、非接触識別タグ３における、時間情報測定部３ｈの時間情報の測定処理を終了する。
【００５７】
更に、図６に基づき、情報管理装置２における情報設定処理の流れを説明する。図６は、情報管理装置２における情報設定処理を示すフローチャートである。図６に示すように、まずステップＳ６００に移行し、情報が入力されたことを確認するとステップＳ６０２に移行する。ここで情報とは、上記したように、非接触識別タグ３を取り付けて表示情報を管理する対象物に関する情報と、どのように管理するかを決める管理スケジュールとを指す。これらの情報は、予め情報管理装置側に用意された情報を選択することで入力したり、入力テンプレートに対して、図示しないキーボード等の入力デバイスによって入力することで行われる。
【００５８】
ステップＳ６０２では、入力された情報に基づき、非接触識別タグ３の表示情報を管理するための情報設定が完了したか否かを判定し、完了したと判定された場合（Ｙｅｓ）はステップＳ６０４に移行し、そうでない場合（Ｎｏ）はステップＳ６００に移行する。
ステップＳ６０４に移行した場合は、非接触識別タグ３に表示させる初期情報を情報伝送部２ａを介して該当する非接触識別タグ３に送信してステップＳ６０６に移行する。
【００５９】
ステップＳ６０６では、非接触識別タグ３から正常な応答を受信したか否かを判定し、受信したと判定された場合（Ｙｅｓ）は処理を終了し、そうでない場合（Ｎｏ）はステップＳ６０４に移行して情報の再送を行う。ここで、本実施の形態において、所定回数（例えば、３回）の情報再送を行ったにも関わらず正常な応答がなかったときは、非接触識別タグ３に故障などが発生していると判断する。
【００６０】
更に、図７に基づき、情報管理装置２における時間情報の管理処理の流れを説明する。図７は、情報管理装置２における時間情報の管理処理を示すフローチャートである。
図７に示すように、まずステップＳ７００に移行し、情報送信部２ａを介して非接触識別タグ３に応答要求信号を送信してステップＳ７０２に移行する。応答要求信号は、上記したように、非接触識別タグ３からＩＤ番号及び時間情報を取得するためのものである。
【００６１】
ステップＳ７０２では、非接触識別タグ３からの応答を情報受信部２ｂを介して受信したか否かを判定し、受信したと判定された場合（Ｙｅｓ）はステップＳ７０４に移行し、そうでない場合（Ｎｏ）はステップＳ７００に移行して応答要求信号の再送処理を行う。ここで、本実施の形態において、所定回数（例えば、３回）の応答要求信号の再送を行ったにも関わらず正常な応答がなかったときは、非接触識別タグ３に故障などが発生していると判断する。
【００６２】
ステップＳ７０４に移行した場合は、ＩＤ番号から対象の非接触識別タグ３の管理内容を確認しステップＳ７０６に移行する。
ステップＳ７０６では、対象の非接触識別タグ３の表示内容の変更が必要か否かを判定し、必要であると判定された場合（Ｙｅｓ）はステップＳ７０８に移行し、そうでない場合（Ｎｏ）は処理を終了する。
【００６３】
ステップＳ７０８に移行した場合は、変更情報を情報送信部２ａを介して非接触識別タグ３に送信してステップＳ７１０に移行する。
ステップＳ７１０では、情報受信部２ｂを介して非接触識別タグ３から正常な応答を受信したか否かを判定し、受信したと判定された場合（Ｙｅｓ）は処理を終了し、そうでない場合（Ｎｏ）はステップＳ７０８に移行して変更情報の再送を行う。ここで、本実施の形態において、所定回数（例えば、３回）の応答要求信号の再送を行ったにも関わらず正常な応答がなかったときは、非接触識別タグ３に故障などが発生していると判断する。
【００６４】
本実施の形態においては、上記ステップＳ７００〜ステップＳ７１０の処理を１時間おきに行うことになる。
更に、図８に基づき、非接触識別タグ３における初期情報の表示処理の流れを説明する。図８は、非接触識別タグ３における初期情報の表示処理を示すフローチャートである。
【００６５】
図８に示すように、まずステップＳ８００に移行し、受信部３ａを介して、情報管理装置２からの書込み用の初期情報を受信したか否かを判定し、受信したと判定された場合（Ｙｅｓ）はステップＳ８０２に移行し、そうでない場合（Ｎｏ）は受信するまで待機する。
ステップＳ８０２に移行した場合は、記憶部３ｅによって、前記受信した初期情報を記憶してステップＳ８０４に移行する。
【００６６】
ステップＳ８０４では、情報表示処理部３ｆによって、前記記憶された初期情報に基づき、電気泳動式表示装置３ｇに情報を表示してステップＳ８０６に移行する。ここで、表示内容は、上記したように、非接触識別タグ３の取り付け対象に応じて、品名、値段、作成日、賞味期限といったものとなる。
ステップＳ８０６では、正常に処理が終了したこと示す応答を、送信部３ｂを介して情報管理装置２に送信してステップＳ８００に移行する。ここで、非接触識別タグ３からの応答には、必ずＩＤ番号を含めるようにする。
【００６７】
更に、図９に基づき、非接触識別タグ３における時間情報の送信処理の流れを説明する。図９は、非接触識別タグ３における時間情報の送信処理を示すフローチャートである。
図９に示すように、まずステップＳ９００に移行し、情報管理装置２から応答要求信号を受信したか否かを判定し、受信したと判定された場合（Ｙｅｓ）はステップＳ９０２に移行し、そうでない場合（Ｎｏ）は受信するまで待機する。
【００６８】
ステップＳ９０２に移行した場合は、時間情報測定部３ｈによって測定された時間情報を記憶部３ｅによって読み出しステップＳ９０４に移行する。
ステップＳ９０４では、制御部３ｄによって、前記読み出した時間情報及び自己のＩＤ番号を送信部３ｂを介して情報管理装置２に送信してステップＳ９００に移行する。
【００６９】
更に、図１０に基づき、非接触識別タグ３における表示内容の変更処理の流れを説明する。図１０は、非接触識別タグ３における表示内容の変更処理を示すフローチャートである。
図１０に示すように、まずステップＳ１０００に移行し、受信部３ａを介して、情報管理装置２から更新情報を受信したか否かを判定し、受信したと判定された場合（Ｙｅｓ）はステップＳ１００２に移行し、そうでない場合（Ｎｏ）は受信するまで待機する。ここで、更新情報とは、上記したように、時間情報と管理スケジュールの内容とに応じて情報管理装置２から送信されるものである。
【００７０】
ステップＳ１００２に移行した場合は、記憶部３ｅによって受信した更新情報を記憶してステップＳ１００４に移行する。
ステップＳ１００４では、既に記憶されている初期情報及び前記記憶された更新情報に基づき、情報表示処理部３ｆによって、電気泳動式表示装置３ｇに表示された表示内容の変更処理を行いステップＳ１００６に移行する。
【００７１】
ステップＳ１００６では、表示内容の変更が正常に終了したことを示す応答を、送信部３ｂを介して情報管理装置２に送信してステップＳ１０００に移行する。
更に、図１１に基づき、非接触識別タグ３における時間情報の測定処理の流れを説明する。図１１は、非接触識別タグ３における時間情報の測定処理を示すフローチャートである。
【００７２】
図１１に示すように、まずステップＳ１１００に移行し、制御部３ｄによって、初期情報に基づく表示内容の表示処理を完了したか否かを判定し、完了したと判定された場合（Ｙｅｓ）はステップＳ１１０２に移行し、そうでない場合（Ｎｏ）は完了するまで待機する。
ステップＳ１１０２に移行した場合は、時間情報測定部３ｈによって、時間情報の測定を行いステップＳ１１０４に移行する。ここで、本実施の形態においては、時間情報の測定と述べているが、これは、タイマを作動させてそのタイマの数値を読み取ることで現在の経過時間を測定することを意味する。この時間情報測定部３ｈによる時間情報の測定は、１時間よりも短い所定周期で行われる。
【００７３】
ステップＳ１１０４では、記憶部３ｅによって、前記測定された経過時間を記憶してステップＳ１１０６に移行する。
ステップＳ１１０６では、制御部３ｄにおいて、時間情報の測定を終了する命令を受けたか否かを判定し、受けたと判定された場合（Ｙｅｓ）は処理を終了し、そうでない場合（Ｎｏ）はステップＳ１１０２に移行する。つまり、この命令は、上記した賞味期限切れの画像を表示させる命令信号の受信などにより発生するものである。
【００７４】
以上、非接触識別タグ３に電気泳動式表示装置３ｇを備え、その表示装置に食品の値段、作成日、賞味期限等の情報を表示し、情報管理装置２によって、その情報の時間情報の管理を行い、且つ、この管理内容に基づき、表示内容を適切なものに変更させることが可能である。
また、上記した情報の表示や表示内容変更時などの、情報管理装置２と非接触識別タグ３との間のデータ通信は、上記した電磁誘導方式による非接触の通信を行い、更にＩＤ番号による非接触識別タグ３の識別を行うので、情報管理装置２の通信範囲内にある複数の非接触識別タグ３に対して情報の伝送が可能である。
【００７５】
また、電気泳動現象を利用した表示装置を用いることで、情報の表示に必要な電力量を軽減することが可能となる。
ここで、図２に示す、情報送信部２ａ及び情報設定部２ｄと、図３に示す、受信部３ａ、制御部３ｄ及び記憶部３ｅとによって行われる初期情報の書込み処理は、第１、第３〜第５及び第９〜第１１の発明に記載の情報書込手段に対応し、図２に示す、時間情報管理部２ｃは、第１〜第６及び第８〜第１１の発明に記載の時間情報管理手段に対応し、図２に示す、情報送信部２ａによって行われる電力供給用の電磁波の送信処理は、第１〜第３、第８及び第９の発明に記載の電磁波供給手段に対応し、図３に示す、電源生成部３ｃは、第１〜第３及び第７の発明に記載の電源生成手段に対応し、電気泳動式表示装置３ｇは、第１〜第３、第７及び第１３の発明に記載の表示部に対応し、情報表示処理部３ｆは、第１〜第３及び第７の発明に記載の情報表示手段に対応し、時間情報測定部３ｈは、第６及び第７の発明に記載の時間情報測定手段に対応する。
【００７６】
なお、上記実施の形態においては、食品４に対して非接触識別タグ３を取り付けて、その作成時間に対する経過時間に基づき、表示情報の変更をする例を説明したが、これに限らず、非接触識別タグを別の物に取り付けても良いし、時間情報としても経過時間に関わらず、特定の季節、特定の年月日、特定の時刻等別の情報であっても良い。
【図面の簡単な説明】
【図１】本発明に係る表示情報管理システムの概略構成を示す図である。
【図２】情報管理装置２の構成を示すブロック図である。
【図３】非接触識別タグ３の構成を示すブロック図である。
【図４】（ａ）は、情報管理装置２における設定情報の一例を示す図であり、（ｂ）は、表示情報の管理スケジュールの一例を示す図である。
【図５】非接触識別タグ３における情報表示の一例を示す図である。
【図６】情報管理装置２における情報設定処理を示すフローチャートである。
【図７】情報管理装置２における時間情報の管理処理を示すフローチャートである。
【図８】非接触識別タグ３における初期情報の表示処理を示すフローチャートである。
【図９】非接触識別タグ３における時間情報の送信処理を示すフローチャートである。
【図１０】非接触識別タグ３における表示内容の変更処理を示すフローチャートである。
【図１１】非接触識別タグ３における時間情報の測定処理を示すフローチャートである。
【符号の説明】
１…表示情報管理システム、２…情報管理装置、２ａ…情報送信部、２ｂ…情報受信部、２ｃ…時間情報管理部、２ｄ…情報設定部、３…非接触識別タグ、３ａ…受信部、３ｂ…送信部、３ｃ…電源生成部、３ｄ…制御部、３ｅ…記憶部、３ｆ…情報表示処理部、３ｇ…電気泳動式表示装置、３ｈ…時間情報測定部、４…食品
【図１】
2004272356.tif 000003
【図２】
2004272356.tif 000004
【図３】
2004272356.tif 000005
【図４】
2004272356.tif 000006
【図５】
2004272356.tif 000007
【図６】
2004272356.tif 000008
【図７】
2004272356.tif 000009
【図８】
2004272356.tif 000010
【図９】
2004272356.tif 000011
【図１０】
2004272356.tif 000012
【図１１】
2004272356.tif 000013